(57)【要約】【課題】より簡易な構成で、光学フィルタをがたつきなく、固定することができる撮像装置を提供する。【解決手段】撮像装置は、筐体と、筐体に、光軸に対して垂直に配置される光学フィルタと、光軸を含む位置に開口部を有し、光学フィルタを筐体との間で固定する枠部及び、枠部の一部が筐体側に折り曲げられた曲げ部、を有し、曲げ部が光学フィルタに接している板金と、を備える。【選択図】図１
2019053203.tif 000002
【特許請求の範囲】
【請求項１】
筐体と、
前記筐体に、光軸に対して垂直に配置される光学フィルタと、
前記光軸を含む位置に開口部を有し、前記光学フィルタを前記筐体との間で固定する枠部及び、前記枠部の一部が前記筐体側に折り曲げられた曲げ部、を有し、前記曲げ部が前記光学フィルタに接している板金と、を備える、
撮像装置。
【請求項２】
前記曲げ部は、前記光学フィルタを前記光軸に垂直な方向に付勢する、
請求項１に記載の撮像装置。
【請求項３】
前記曲げ部は、前記枠部の外縁部分の一部が折り曲げられることにより形成される、
請求項１又は２に記載の撮像装置。
【請求項４】
前記曲げ部は、前記枠部内に形成された切れ目を折り曲げることにより形成される、
請求項１又は２に記載の撮像装置。
【請求項５】
前記曲げ部は、前記枠部の４辺のうち１辺のみに形成され、
前記曲げ部に接している前記光学フィルタの辺に対向する辺は、前記筐体の段差に接する、
請求項１から請求項４のいずれか１項に記載の撮像装置。
【請求項６】
前記曲げ部は、前記枠部の４辺のうち対向する２辺にそれぞれ形成され、
前記光学フィルタは、前記対向する２辺にそれぞれ形成された前記曲げ部の間に配置される、
請求項１から請求項４のいずれか１項に記載の撮像装置。
【請求項７】
前記板金は、弾性のある金属材料である、
請求項１から請求項６のいずれか１項に記載の撮像装置。
【請求項８】
前記板金は、連結具が挿入される貫通孔を有しており、
前記板金と前記筐体とは、前記貫通孔に挿通された連結具により固定される、
請求項１から請求項７のいずれか１項に記載の撮像装置。
【請求項９】
撮像素子及びレンズを更に備える、
請求項１から請求項８のいずれか１項に記載の撮像装置。
【発明の詳細な説明】
【技術分野】
【０００１】
本発明の一態様は、携帯電話等のモバイル用機器、乗物（例えば車）や防犯機器などに搭載されるカメラなどの撮像装置等に関する。
【背景技術】
【０００２】
撮像装置は、携帯端末に内蔵されるものをはじめ、車載用、防犯用に広く用いられている。撮像装置には、想定される撮影環境に応じてＰＬ（Polarized Light）フィルタ、ＩＲ（Infrared）フィルタ、又はＮＤ（Neutral Density）フィルタ等の光学フィルタが組み込まれるものが多い。
【０００３】
特許文献１は、撮像素子と、該撮像素子を保持する基板と、撮像する画像を前記撮像素子に投影するレンズと、該レンズを保持するレンズホルダと、前記レンズと前記撮像素子との間に配置された光学フィルタとを有し、前記レンズホルダに前記光学フィルタが接着されており、前記レンズホルダと前記光学フィルタとの接着面の少なくとも一方に凹凸面を形成したことを特徴とする固体撮像装置について開示している。
【先行技術文献】
【特許文献】
【０００４】
【特許文献１】特開２００８−３０６２６１号公報
【発明の概要】
【発明が解決しようとする課題】
【０００５】
ところで、撮像装置に組み込まれる光学フィルタは、キズや亀裂が生じやすく、特定部分に力がかかり過ぎないように固定する必要がある。一方で、光学フィルタと支持部分との間に隙間がある場合には、がたつきが生じ、撮影に影響を与えてしまう恐れがある。光学フィルタのがたつきを解消するために接着剤を用いることも考えられるが、製造工程の増加となり、また、温度変化に伴う接着剤の変形または変質により、光学フィルタの位置ずれが生じてしまう恐れもある。
【課題を解決するための手段】
【０００６】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００７】
本発明の一の手段は、
筐体（２）と、
前記筐体に、光軸（９）に対して垂直に配置される光学フィルタ（５）と、
前記光軸を含む位置に開口部（６４）を有し、前記光学フィルタを前記筐体との間で固定する枠部（６１）及び、前記枠部の一部が前記筐体側に折り曲げられた曲げ部（６３）、を有し、前記曲げ部が前記光学フィルタに接している板金（６）と、を備える、
撮像装置である。
【０００８】
上記構成の撮像装置によれば、板金において折り曲げられた曲げ部が光学フィルタに接することにより、より簡易な構成で、光学フィルタをがたつきなく、固定することができる。また、温度により変形するおそれのある接着剤を使用することなく、かつ光学フィルタに物理的な変化を伴うような力をかけることなく、光学フィルタを固定する構成とすることができる。
【０００９】
上記撮像装置において、好ましくは、
前記曲げ部は、前記光学フィルタを前記光軸に垂直な方向に付勢する。
【００１０】
上記構成の撮像装置によれば、光軸に垂直な方向、すなわち光学フィルタの面に沿った方向で光学フィルタを固定するため、より小さな力でがたつきを抑えることができる。また、光学フィルタの位置固定のために光学フィルタに与えられる圧力を抑えた構成とすることができる。
【００１１】
上記撮像装置において、好ましくは、
前記曲げ部は、前記枠部の外縁部分の一部が折り曲げられることにより形成される。
【００１２】
上記構成の撮像装置によれば、外縁部分が折り曲げられた曲げ部が光学フィルタに接することにより、枠部は開口部を確保しつつ、外縁部分である曲げ部により光学フィルタのがたつきを抑えた構成とすることができる。
【００１３】
上記撮像装置において、好ましくは、
前記曲げ部は、前記枠部内に形成された切れ目を折り曲げることにより形成される。
【００１４】
上記構成の撮像装置によれば、板金の曲げ部は、枠部内に形成された切れ目により折り曲げられるため、曲げ部は、板金の大きさと比較してより小さな光学フィルタに対してもがたつきを抑えた構成とすることができる。
【００１５】
上記撮像装置において、好ましくは、
前記曲げ部は、前記枠部の４辺のうち１辺のみに形成され、
前記曲げ部に接している前記光学フィルタの辺に対向する辺は、前記筐体の段差に接する。
【００１６】
上記構成の撮像装置によれば、曲げ部を４辺のうち１辺のみに形成し、筐体との間で光学フィルタを固定することにより、板金の形状及び製造工程をより簡易にしつつ、光学フィルタのがたつきを抑えた構成とすることができる。
【００１７】
上記撮像装置において、好ましくは、
前記曲げ部は、前記枠部の４辺のうち対向する２辺にそれぞれ形成され、
前記光学フィルタは、前記対向する２辺にそれぞれ形成された前記曲げ部の間に配置される。
【００１８】
上記構成の撮像装置によれば、板金は、対向する２辺の曲げ部により光学フィルタの両側を挟んで固定するため、板金のみにより、光学フィルタのがたつきを抑えた構成とすることができる。
【００１９】
上記撮像装置において、好ましくは、
前記板金は、弾性のある金属材料である。
【００２０】
上記構成の撮像装置によれば、板金が弾性のある金属材料で形成されることにより、板金は、光学フィルタを、より隙間なく固定することができる。また、光学フィルタや板金の形状や大きさに誤差がある場合であっても、光学フィルタのがたつきを抑えた構成とすることができる。
【００２１】
上記撮像装置において、好ましくは、
前記板金は、連結具が挿入される貫通孔（６２）を有しており、
前記板金と前記筐体とは、前記貫通孔に挿通された連結具（７）により固定される。
【００２２】
上記構成の撮像装置によれば、板金と筐体とは貫通孔と連結具により固定されることにより、光学フィルタに物理的な影響を与えることなく、板金を筐体に固定した構成とすることができる。
【００２３】
上記撮像装置において、好ましくは、
撮像素子及びレンズを更に備える。
【００２４】
上記構成の撮像装置によれば、光学フィルタががたついて位置が不安定になることにより発生する撮像した画像の画質低下を抑制可能な構成とすることができる
【図面の簡単な説明】
【００２５】
【図１】図１は、本実施形態の撮像装置の上方斜視図である。
【図２】図２は、図１の撮像装置の下方斜視図である。
【図３】図３は、図１の撮像装置の分解斜視図である。
【図４】図４は、板金の一例の斜視図である。
【図５】図５は、図４の板金の正面図である。
【図６】図６は、図４の板金の側面図である。
【図７】図７は、図４の板金の上面図である。
【図８】図８は、図４の板金の正面からの視野による、撮像装置の図である。
【図９】図９は、図８のIX−IX線における部分断面図である。
【図１０】図１０は、板金の変形例の斜視図である。
【図１１】図１１は、図１０の板金の正面図である。
【図１２】図１２は、図１０の板金の側面図である。
【図１３】図１３は、図１０の板金の上面図である。
【図１４】図１４は、図１０の板金の正面からの視野による、撮像装置の図である。
【図１５】図１５は、図１４のXV−XV線における部分断面図である。
【発明を実施するための形態】
【００２６】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
２．補足事項
【００２７】
＜１．実施形態＞
本実施形態の撮像装置は、光学フィルタと光学フィルタの配置位置に取り付けられる板金の曲げ部とを接触させることで、より簡易な構成で光学フィルタのがたつきをなくす構成となっている。以下、本実施形態の撮像装置について具体的に説明する。
【００２８】
図１は、本実施形態の撮像装置の上方斜視図である。図２は、本実施形態の撮像装置の下方斜視図である。図３は下方から見た場合の本実施形態の撮像装置の分解斜視図である。
【００２９】
＜全体構成＞
図１から図３に示されるように、本実施形態の撮像装置１は、筐体２と、光学フィルタ５と、板金６とを備えている。また、撮像装置１は、撮像素子及びレンズを更に備えており、図１から図３においては、撮像素子及びレンズを組み合わせた撮像モジュール４として提供されている。ただし、撮像素子及びレンズは、撮像モジュール４のように一体的でなく、別体として取り付けられる構成にしてもよい。
【００３０】
＜筐体２＞
筐体２は、光軸９が通る部分に開口部を有するケースであり、撮像装置１の各構成要素を収容する。
【００３１】
＜光学フィルタ５＞
光学フィルタ５は、例えばＰＬ（Polarized Light）フィルタ（偏光フィルタ）、ＩＲ（Infrared）カットフィルタ（赤外線カットフィルタ、または赤外線フィルタ）又はＮＤ（Neutral Density）フィルタ等の各種光学フィルタを用いることができる。光学フィルタ５は、光軸９に対して垂直に配置される。また、図３に示されるように、光学フィルタ５は、筐体２と板金６との間に挟まれるように、連結具７により留められることとしてもよい。連結具７はネジその他の留め部材を使用することができる。
【００３２】
＜撮像素子＞
撮像素子は、撮像装置１の構成要素の一つであり、例えばＣＣＤ（Charge-Coupled Device）やＣＭＯＳ（Complementary Metal Oxide Semiconductor）等からなり、光の強さに応じて電気信号を出力する光電変換素子である。
【００３３】
＜レンズ＞
レンズは、１又は複数のレンズから構成され、光学フィルタ５と撮像素子との間に配置され、撮像素子に光を集める。図３の例では、撮像素子とレンズが一体化された撮像モジュール４が、ネジ８により筐体２に連結されている。またシャッター機構や絞り機構等を含んで撮像モジュール４と呼ぶこともある。
【００３４】
＜板金６＞
図４から図７は、板金６の具体的な構成に示す図であり、それぞれ板金６の斜視図、正面図、側面図及び上面図である。これらの図に示されるように、板金６は、光軸９を含む位置に開口部６４を有し、光学フィルタ５を筐体２との間で固定する枠部６１、及び、枠部６１の一部が筐体２側に折り曲げられた曲げ部６３を有している。板金６は、連結具７が挿入される貫通孔６２を有し、板金６と筐体２とは、貫通孔６２に挿通されるネジ等の連結具７により固定される。連結具７は、ネジに限られず、リベットなどのその他の留め部材を使用することができる。
【００３５】
図４から図７に示される例では、板金６の曲げ部６３は、枠部６１の４辺のうち対向する２辺にそれぞれ形成され、曲げ部６３は、枠部６１の外縁部分の一部が折り曲げられることにより形成されている。
【００３６】
図８は、撮像装置１についての、板金６の正面からの視野による図であり、図９は、図８のIX−IX線での部分断面図である。これらの図に示されるように、板金６と筐体２とは、貫通孔６２に挿通されるネジ等の連結具７により固定されており、板金６の曲げ部６３は光学フィルタ５と接している。光学フィルタ５は、対向する２辺にそれぞれ形成された曲げ部６３の間に配置される。また、曲げ部６３は、光学フィルタ５を光軸９に垂直な方向に付勢して、曲げ部６３の間で光学フィルタ５を固定している。ここで、板金６は、板バネ等の弾性のある金属材料で形成されていてもよい。
【００３７】
このように、撮像装置１は、板金６において折り曲げられた曲げ部６３が光学フィルタ５に接することにより、より簡易な構成で、光学フィルタ５をがたつきなく、固定することができる。撮像装置１は、接着剤を使用することなく、また光学フィルタ５に物理的な変化を伴うような力をかけることなく、光学フィルタを固定することができる。なお、本実施形態の構成に加えて接着剤を利用したとしても、接着剤の温度変化による位置ずれを起こしづらいなどの一定の効果が得られる。
【００３８】
また、曲げ部６３は、光学フィルタ５を光軸９に垂直な方向に付勢して、光軸９に垂直方向、すなわち光学フィルタ５の面に沿った方向で光学フィルタ５を固定するため、より小さな力でがたつきを抑えることができ、固定のために光学フィルタ５に与える圧力も抑えることができる。
【００３９】
また、板金６の曲げ部６３は、枠部６１の外縁部分を折り曲げた構成であるため、枠部６１は開口部６４を確保しつつ、外縁部分である曲げ部６３により光学フィルタ５のがたつきを抑えることができる。
【００４０】
また、板金６は、対向する２辺の曲げ部６３により光学フィルタ５の両側を挟んで固定するため、板金６のみにより、光学フィルタ５のがたつきを抑えることができる。
【００４１】
また、板金６が弾性のある金属材料で形成されることにより、板金６は光学フィルタ５を、より隙間なく固定することができる。また、光学フィルタ５や板金６の形状や大きさに誤差がある場合であっても、光学フィルタ５のがたつきを抑えることができる。
【００４２】
また、板金６と筐体２とは貫通孔６２とネジ等の連結具７により固定されているため、光学フィルタ５に物理的な影響を与えることなく、板金６を筐体２に固定することができる。
【００４３】
上述のように、固定された光学フィルタ５を備える撮像装置１を用いることにより、撮影時において、光学フィルタ５のがたつきを気にすることなく、撮影することができる。
【００４４】
＜板金６の変形例＞
図１０から図１３は、板金６の変形例を示す図であり、それぞれ板金６の斜視図、正面図、側面図及び上面図である。これらの図に示されるように、板金６は、上述の例と同様に、光軸９を含む位置に開口部６４を有し、光学フィルタ５を筐体２との間で固定する枠部６１及び、枠部６１の一部が筐体２側に折り曲げられた曲げ部６３を有している。板金６は、連結具７が挿入される貫通孔６２を有することができ、板金６と筐体２とは、貫通孔６２に挿通されるネジ等の連結具７により固定されることができる。
【００４５】
これらの図に示される例では、板金６の曲げ部６３は、枠部６１の４辺のうち１辺のみに形成され、また、曲げ部６３は、枠部６１内に形成された切れ目を折り曲げることにより形成されている。例えば、曲げ部６３は、枠部６１の１辺に矩形の曲げ部６３の３辺となる部分に切れ目を入れ、残りの１辺を折り曲げて形成することができる。しかしながら、曲げ部６３は矩形に限られるものではなく、切れ目に曲線を含む形状等を用いることとしてもよい。
【００４６】
図１４は、撮像装置１についての、板金６の正面からの視野による図であり、図１５は、図１４のXV−XV線での部分断面図である。これらの図に示されるように、板金６と筐体２とは、上述の例と同様に、貫通孔６２に挿通されるネジ等の連結具７により固定されており、板金６の曲げ部６３は光学フィルタ５と接している。曲げ部６３は、光学フィルタ５を光軸９に垂直な方向に付勢し、光学フィルタ５は、曲げ部６３に接している光学フィルタ５の辺に対向する辺が、筐体２の段差に接することにより固定される。ここで、上述の例と同様に、板金６は、板バネ等の弾性のある金属材料で形成されていてもよい。
【００４７】
光学フィルタ５の１辺が板金６の曲げ部６３に接触し、光学フィルタ５の対向する１辺が筐体２の段差に接することにより固定されることとしている。しかしながら、この変形例においても、図９に示されるように、板金６の対向する辺の枠部６１内にそれぞれ曲げ部６３を形成し、曲げ部６３の間に光学フィルタ５を配置する構成としてもよい。また逆に、板金６の１辺の外縁にのみ曲げ部６３を形成し、曲げ部６３に接している光学フィルタ５の辺に対向する辺が、筐体２の段差に接することにより固定される構成としてもよい。
【００４８】
このように、変形例においても、撮像装置１は、板金６において折り曲げられた曲げ部６３が光学フィルタ５に接することにより、より簡易な構成で、光学フィルタ５をがたつきなく、固定することができる。撮像装置１は、温度により変形する接着剤を使用することなく、また光学フィルタ５に物理的な変化を伴うような力をかけることなく、光学フィルタを固定することができる。
【００４９】
また、変形例においても、曲げ部６３は、光学フィルタ５を光軸９に垂直な方向に付勢して、光軸９に垂直方向、すなわち光学フィルタ５の面に沿った方向で光学フィルタ５を固定するため、より小さな力でがたつきを抑えることができ、固定のために光学フィルタ５に与える圧力も抑えることができる。
【００５０】
また、変形例における板金６の曲げ部は、枠部６１内に形成された切れ目により折り曲げられた構成であるため、曲げ部６３は、板金６の大きさと比較してより小さな光学フィルタ５に対してもがたつきを抑えることができる。また、枠部６１の外縁を筐体２に接触させることができるため、板金６を安定的に筐体２に固定することができる。
【００５１】
また、変形例における板金６の曲げ部は、枠部６１の４辺のうち１辺のみに形成され、筐体２との間で光学フィルタ５を固定する構成としたため、板金６の形状及び製造工程をより簡易にした構成で光学フィルタ５のがたつきを抑えることができる。
【００５２】
また、板金６が弾性のある金属材料で形成されることにより、板金６は光学フィルタ５を、より隙間なく固定することができる。また、光学フィルタ５や板金６の形状や大きさに誤差がある場合であっても、光学フィルタ５のがたつきを抑えることができる。
【００５３】
また、板金６と筐体２とは貫通孔６２とネジ等の連結具７により固定されているため、光学フィルタ５に物理的な影響を与えることなく、板金６を筐体２に固定することができる。
【００５４】
上述のように、固定された光学フィルタ５を備える撮像装置１を用いることにより、撮影時において、光学フィルタ５のがたつきによる画質低下を抑制しながら、撮影することができる。
【００５５】
＜２．補足事項＞
以上、本発明の実施形態についての具体的な説明を行った。上記説明は、あくまで一実施形態としての説明であって、本発明の範囲はこの一実施形態に留まらず、同様の技術思想に基づいて当業者が把握可能な範囲にまで広く解釈されるものである。
【００５６】
上記実施形態では、板金６において、対向する２辺の外縁が折り曲げられた曲げ部６３を有する一例と、１辺のみが折り曲げられた曲げ部６３を有する他の例とを示した。しかしながら、外縁の１辺のみが折り曲げられ、筐体２との間で光学フィルタ５を固定する構成とすることとしてもよい。また、対向する２辺の枠部６１内にそれぞれ形成された切れ目を折り曲げた２つの曲げ部６３により、光学フィルタ５を挟んで固定する構成としてもよい。また、これらの例に限られず、曲げ部６３に接触して光学フィルタ５を固定する構成であればよい。
【００５７】
また、上記実施形態では本発明で特徴的な部分のみについて説明したが、本発明の撮像装置は、従来の撮像装置が有する種々の構成をさらに備えている。
【産業上の利用可能性】
【００５８】
本発明の撮像装置は、携帯電話等のモバイル用機器、乗物（例えば車）や防犯機器などに搭載されるカメラなどに好適に利用される。
【符号の説明】
【００５９】
１…撮像装置
２…筐体
４…撮像モジュール
５…光学フィルタ
６…板金
７…連結具
８…ネジ
９…光軸
６１…枠部
６２…貫通孔
６３…曲げ部
６４…開口部
【図１】
2019053203.tif 000003
【図２】
2019053203.tif 000004
【図３】
2019053203.tif 000005
【図４】
2019053203.tif 000006
【図５】
2019053203.tif 000007
【図６】
2019053203.tif 000008
【図７】
2019053203.tif 000009
【図８】
2019053203.tif 000010
【図９】
2019053203.tif 000011
【図１０】
2019053203.tif 000012
【図１１】
2019053203.tif 000013
【図１２】
2019053203.tif 000014
【図１３】
2019053203.tif 000015
【図１４】
2019053203.tif 000016
【図１５】
2019053203.tif 000017